(57)【要約】【課題】  合成床版上に設けられるコンクリートの損傷検知用のモニタリング用孔は、予めゴム製止水栓で塞いでおき、コンクリートの硬化後に止水栓を撤去して開口させていたが、合成床版による工法は足場がないため、高所に位置する止水栓撤去作業が手間取るという問題がある。【解決手段】  合成床版２のモニタリング用孔５を、樟脳などの昇華性物質からなる止水栓８で塞いでおき、打設されたコンクリート７が硬化するまでは止水栓８が固体として孔５を塞いでコンクリートの漏出を防ぎ、硬化した後は止水栓８を昇華により自動的に消滅させて、止水栓の撤去作業を解消できるようにする。【選択図】  図１
2005036481.tif 000002
【特許請求の範囲】
【請求項１】
床鋼板の上にリブ、鉄筋などのジベル材を取付けて、その上にコンクリートを打設することで、鋼とコンクリートとが一体化された構造物の床版を構成するための合成床版において、コンクリートおよび防水層などの損傷によって床鋼板内に雨水が浸入したことを報知するために、床鋼板の一部に開設されたモニタリング用孔に、樟脳などの昇華性物質からなる止水栓を取付けたことを特徴とする合成床版のモニタリング用孔の止水栓。
【請求項２】
止水栓がモニタリング用孔の上面を塞ぐように配置されて、接着剤により床鋼板に固定された円盤状あるいは角盤状のものである請求項１に記載の合成床版のモニタリング用孔の止水栓。
【請求項３】
止水栓がモニタリング用孔を塞ぐように、孔の上方から下方へ向けて挿着された円錐形あるいは水滴形のものである請求項１の合成床版のモニタリング用孔の止水栓。
【発明の詳細な説明】
【技術分野】
【０００１】
本発明は、橋梁の床版を構成するための合成床版に設けられる、モニタリング用孔の止水栓の改良に関するものである。
【背景技術】
【０００２】
従来における橋梁のコンクリート床版を構築する手段としては、ＲＣ床版のように、床版用の型枠を組み立てて、この型枠内にコンクリートを打設し、コンクリートが硬化したのちに型枠を解体撤去するという工法が用いられてきた。
【０００３】
しかし、この工法では、型枠の組み立て作業およびコンクリート硬化後における型枠の解体撤去作業に、時間と労力を必要とするという問題があるため、最近では、コンクリート床版を構成するための手段として、予め、工場内で床となる鋼板の上にリブ、鉄筋などのジベル材を取付けた合成床版を製造しておき、工場からこの合成床版を現場へ運んで橋桁上に架設し、この合成床版の床鋼板を捨型枠として、その床鋼板上にコンクリートを打設することで、鋼とコンクリートとが一体化された床版を構成する合成床版が広く用いられるようになっている。
【０００４】
この合成床版を用いる構築法では、最終的に床鋼板がコンクリートと一体化されるため、床鋼板は、コンクリートの硬化後に従来の型枠のように解体撤去しなくて済み、その分、時間と労力を必要としないという点で、大幅な工費の節減を期待できるという利点を有している。
【０００５】
しかし、この合成床版を用いるコンクリート床版の構築法では、合成床版の床鋼板がコンクリートの硬化後も撤去されずに、捨型枠と同様に残されることになるので、打設されたコンクリートが硬化の過程でひび割れをおこしたり、防水層に損傷が生じた場合に、浸入した雨水が外部に排出されずに合成床版の内側に溜まってしまい、床鋼板を腐食させるという問題がある。
【０００６】
そのため、従来では、橋梁のような野外に設けられる構造物の構築に、合成床版を用いる場合には、床鋼板の一部に、コンクリートおよび防水層などに損傷が生じて、合成床版内に雨水が溜まった時に、この雨水を外部へ適切に排出して、孔の付近のコンクリートおよび防水層に、損傷が生じていることを報知するためのモニタリング用の孔を設けることが行われている。
【０００７】
なお、合成床版の床鋼板にこのような孔を開設すると、床鋼板の上にコンクリートを打設したときに、コンクリート中の水分がこれらの孔から漏出してしまうため、従来では、コンクリートが打設される前の段階で、床鋼板のモニタリング用孔を板の下側からゴム製の止水栓を嵌め込んで塞いでおき、打設されたコンクリートが硬化した時点で前記止水栓を孔から取り外すことで、以後、孔をモニタリング用として利用できるようにしている。
【０００８】
このように、床鋼板の一部に孔を設けて、コンクリート打設時はこの孔を止水栓により塞いで、この孔からコンクリート中の水分が漏出することを防ぎ、コンクリートが硬化した後は、止水栓を型枠外から取り外して、コンクリートが外気と接触できるようにした構造は、前記の合成床版以外にも、捨型枠によるコンクリート床工法として、例えば、特許文献１により知られている。
【０００９】
【特許文献１】特開昭５８−１０１９５１号公報
【発明の開示】
【発明が解決しようとする課題】
【００１０】
ところで、特許文献１のような、捨型枠に排出用の孔を設けて、この孔を止水栓で一時的に塞ぎ、後日この止水栓を取り外すという工法、あるいは、合成床版による工法のように床鋼板にモニタリング用の孔を設けて、この孔を止水栓で塞ぐという工法では、コンクリートの硬化後に、これらの孔を塞いでいた止水栓を全て取り外さなければならないことになる。
【００１１】
しかしながら、特許文献１の場合についても同様なことであるが、合成床版を用いた工法では、床鋼板がコンクリートの硬化後も撤去されずに、捨型枠と同様に残されることになるので、従来のＲＣ床版の型枠のように、床鋼板の下に、型枠を組んだり解体するための足場を設ける必要がない。
【００１２】
そのため、合成床版を用いる工法では、止水栓の取り外し作業に足場を利用することができず、しかも、合成床版の床鋼板は地上から高所に位置しているために、床鋼板の孔に嵌め込まれた止水栓を取り外し撤去すための手段として、橋梁点検車のような高所作業車を使用しなければならず、止水栓の撤去作業だけでも、多くの時間と労力と費用とを必要とするという問題点を有している。
【課題を解決するための手段】
【００１３】
本発明は、上記のような、従来における合成床版を用いるコンクリート床版構造の問題点を解決するための手段として、床鋼板の孔に嵌め込まれた止水栓の撤去が、高所作業車などを使用することなく、簡単、かつ、低廉な費用で行えるようにした合成床版におけるモニタリング用孔の止水栓に関するものである。
【００１４】
本発明は、そのための具体的手段として、床鋼板の上にリブ、鉄筋などのジベル材を取付けて、その上にコンクリートを打設することで、鋼とコンクリートとが一体化された構造物の床版を構成するための合成床版において、コンクリートおよび防水層などの損傷によって床鋼板内に雨水が浸入したことを報知するために、床鋼板の一部に開設されたモニタリング用孔に、樟脳などの昇華性物質からなる止水栓を取付けたことを特徴とする。
【００１５】
止水栓の形状としては、モニタリング用孔の上面に、この孔を塞ぐように配置されて、接着剤により床鋼板に固定されるような円盤状あるいは角盤状のものであることが好ましい。また、別の形状としては、止水栓がモニタリング用孔を塞ぐように、孔の上方から下方へ向けて挿着されるような円錐形あるいは水滴形のものであってもよい。さらに、止水栓の素材としては、樟脳以外にも、固体時の形状によりモニタリング用の孔を塞ぎ、時間の経過に伴って気体に変化昇華することで、形状が失われて自動的に孔が開口するような物質であればよい。
【発明の効果】
【００１６】
この発明では、合成床版に設けられるモニタリング用孔の止水栓として、樟脳、ナフタリンなどの昇華性物質により形成したものを用いるので、コンクリートが打設されて、未だ硬化する前の段階では、止水栓が固体としての形状を維持してモニタリング用孔を塞ぎ、コンクリート自体およびコンクリート中の水分の漏出を防いで、止水栓としての機能を的確に果たすことができる。
【００１７】
この止水栓は、コンクリートが硬化するまでの間は、孔を的確に塞いでいるが、その間、空気に触れている部分が徐々に昇華して縮小化して行き、やがて、コンクリートが硬化した時点では完全に消失し、今度は、孔が開口することでモニタリングとしての機能を発揮することになる。また、この止水栓は、時間の経過に伴って、全く外部から手を加えることなく、自動的に消失してしまうため、従来の止水栓のように、改めて止水栓を撤去するための作業を全く不要とする。
【００１８】
その結果、本発明の止水栓によれば、止水栓の撤去作業を全く必要としないので、従来では止水栓の撤去に必要とされてきた、橋梁点検車のような高所作業車による高所での作業が不要となり、作業車の出動、出動のための経費、労力、人件費、危険性、作業時間などを確実に解消することができる。また、止水栓の単価も従来の止水栓に比較して低廉なので、合成床版のモニタリング用孔の止水栓として最適なものとすることができる。
【発明を実施するための最良の形態】
【００１９】
樟脳、ナフタリンなどの昇華性物質による止水栓は、床鋼板に開設された孔の上を塞ぐことのできる大きさの盤形からなっており、打設されるコンクリートによって押し流されて、孔の位置から外れないようにするため、下面の中央部を除いた周辺部に予め接着剤を塗布して、この接着剤により孔の上面位置へしっかりと固定されるようになっていることが好ましい。
【実施例】
【００２０】
次に、本発明に係る合成床版のモニタリング用孔止水栓の構造を、図面に示す実施例について説明すると、図１はこの止水栓が設けられる合成床版１の構造の一例を示す斜視図であって、この合成床版１は、床鋼板２の表面に、多数の横リブ３およびスタッド４などのジベル材が突設固定され、また、床鋼板２の適宜な位置に、間隔をおいて複数個のモニタリング用孔５が開設されている。
【００２１】
なお、上記の合成床版１は、床鋼板２の表面に多数の横リブ３およびスタッド４などのジベル材を突設した構造として述べたが、これは合成床版の構造の１例を示すものであり、合成床版としては、これ以外にも各種多様なものが適用される。
【００２２】
この合成床版１は、工場で製造されてから、現場へ運ばれて橋桁などの上に架設された後、前記横リブ３、スタッド４などのジベル材の上に鉄筋６が配列されてから、最終的にコンクリート７が打設されるが、このコンクリート７が打設される前の段階で、前記モニタリング用孔５の上に、これらの孔５を床鋼板２の内側から塞ぐことのできる大きさをもった、樟脳、ナフタリンなどの昇華性物質からなる円盤状の止水栓８が、接着剤９を介して固定される。
【００２３】
なお、止水栓８は、打設されるコンクリート７によって押し流されて、孔の位置から外れないようにするため、接着剤９により孔５の位置に固定されることが必要であるが、止水栓８を接着剤９により固定する手段としては、図３のように、止水栓８の下面の中央部を除いた周辺部に予め接着剤９を塗布して、この接着剤９の表面を剥離紙１０で保護しておき、使用の際には剥離紙１０を剥がして、孔５の上に押圧して固定する。
【００２４】
止水栓８を固定する別の方法としては、図示はしないが、コンクリート７の打設直前に、床鋼板２における孔５の内側周辺部に接着剤９を環状に塗布して、直ちにこの接着剤９の上に止水栓８を載置して押付け、接着剤９で固定するようにしてもよい。さらに、別の方法としては、図５に示すように、止水栓８を円錐形あるいは水滴形としておき、径の小さい方が下になるようにして、順次孔５の上から落とし込んで、径の大きい方が孔の上に引っ掛かるように装着してもよい。
【００２５】
モニタリング用孔５に上記止水栓８が装着された後に、合成床版１の上にコンクリート７が打設されると、モニタリング用孔５は、止水栓８により閉じられているので、打設されたコンクリート７自体、およびコンクリート中の水分が、これらの孔５から漏出することを防ぎ、コンクリート７が硬化するまでの所定の期間、孔５を確実に塞いでコンクリート７が適正に硬化することを補助する。
【００２６】
そして、止水栓８は、樟脳などの昇華性物質からなっているので、図４のように、円形の孔５を通して空気と接触する部分から徐々に昇華してゆき、コンクリート７がほぼ硬化した時点では、止水栓８自体の形状が自動的に消滅して、あえて止水栓８を取り外したり除去する作業を行うことなく、この孔５をそのまま、合成床版のモニタリング用の孔として機能させることができる。
【００２７】
止水栓８を、孔５の上に載せる円盤状あるいは角盤状のものとした場合には、図４のように、コンクリート７が打設された直後から、止水栓８の下面８ａが孔５内に流れ込む空気と接触して、床鋼板２の内側方向へ徐々に昇華が進行するので、コンクリート７の硬化時間に合わせて円盤状あるいは角盤状止水栓の厚さを設定する。
【００２８】
また、図５のように、止水栓８を、孔５の上から落とし込んで、中央の一部が孔の外へ突出するように、孔５に引っ掛ける円錐形あるいは水滴形とした場合には、止水栓８を孔５に接着剤で固定する必要がないので、能率よく配置でき、コスト、労力の面で有利である。なお、この場合は、孔５外部に突出させた部分が先に昇華するので、コンクリート７の硬化時間に合わせて突出する長さを調整する。
【図面の簡単な説明】
【００２９】
【図１】本発明に係るモニタリング用孔を設けた合成床版の構造の１例を示す斜視図。
【図２】図１の合成床版の部分拡大断面図。
【図３】本発明に使用する止水栓の形状の１例を示す斜視図。
【図４】図３の止水栓が時間の経過により縮小していく状態を示す断面図。
【図５】別の止水栓の形状を示す断面図である。
【符号の説明】
【００３０】
１：合成床版
２：床鋼板
３：横リブ
４：スタッド
５：モニタリング用孔
６：鉄筋
７：コンクリート
８：止水栓
９：接着剤
１０：剥離紙
【図１】
2005036481.tif 000003
【図２】
2005036481.tif 000004
【図３】
2005036481.tif 000005
【図４】
2005036481.tif 000006
【図５】
2005036481.tif 000007